(57)【特許請求の範囲】
【請求項１】
吸着剤を充填する吸着筒内に湿った気体を導き、湿分を吸着剤に吸着させて除湿し、乾燥気体に換えて供給する除湿装置において、
上記吸着筒の下端部を支持するとともに湿った気体を導通して吸着筒内へ案内する導入路を備えたインレットヘッドと、上記吸着筒の上端部に配置されるとともに吸着筒で除湿された乾燥気体を外部へ案内する導出路を備えたアウトレットヘッドと、このアウトレットヘッドと上記インレットヘッドとに亘って架設され上記吸着筒をインレットヘッドとアウトレットヘッドとの間に介在固定する複数本の通しボルトと、これら通しボルトのうちの所定の通しボルトに螺着され回動付勢することにより上記アウトレットヘッドを押し上げて吸着筒上端部から離間自在とする押し上げナット体とを具備したことを特徴とする除湿装置。
【請求項２】
上記通しボルトは上下に２分割されていて、互いの対向端部に異なる方向のねじ部が設けられ、上記押し上げナット体は軸方向の両端部から上記２分割された通しボルトのねじ部と螺合する互いに異なる方向のねじ孔が設けられることを特徴とする請求項１記載の除湿装置。
【発明の詳細な説明】
【０００１】
【発明の属する技術分野】
本発明は、複数本の吸着筒内にそれぞれ吸着剤を充填する除湿装置に係わり、特に、吸着剤の交換時に要する作業性の改善のための吸着筒組立て構造の改良に関する。
【０００２】
【従来の技術】
吸着剤を充填する吸着筒内に湿った気体を導き、湿分を吸着剤に吸着させて除湿し、乾燥気体に換えて供給する除湿装置が用いられている。
この除湿装置は、吸着筒の下端部を支持し湿った気体を吸着筒内へ案内する導入路を備えたインレットヘッドと、吸着筒の上端部に配置され吸着筒内で除湿された乾燥気体を外部へ案内する導出路を備えたアウトレットヘッドと、これら各ヘッド間に亘って架設され吸着筒を各ヘッド間に介在固定する複数本の通しボルトからなる。
【０００３】
ところで、所定期間以上使用すれば吸着剤が劣化することはやむを得ないことであって、必要な除湿効果が得られなくなる。そのため、所定期間に至ったら通しボルトを外してアウトレットヘッドを吸着筒上端部から取外し、吸着筒を自由にして劣化した吸着剤と新たな吸着剤とを交換し、再び組立てる。これら吸着剤の交換に要する作業は、装置を配備したユーザー側で行うこととなる。
【０００４】
【発明が解決しようとする課題】
仕様によっては大型の除湿装置があり、この場合は吸着筒の直径と軸方向長さが大になるとともに、本数が多い。これにともない、インレットヘッドおよびアウトレットヘッドの容積と重量が増大する。機種によっては、約７０〜８０Ｋｇのアウトレットヘッドがあるので、ホッパーなどの重機の使用が望ましい。
【０００５】
しかしながら、ユーザー側においては必ずしも重機を備えているとは限らず、たとえ備えているとしても、装置場所まで重機を移動するための移動スペースの確保と、作業に必要な装置上方空間の確保に困難がともなう。重機がない場合は、全て多数の作業者による手作業となり、多大の労力を必要とする。
【０００６】
また、上述の吸着剤交換の作業にあたって、吸着筒の取外しの前に、全ての通しボルトを取外し、吸着剤交換後は再び全てのボルトを取付ける必要があり、手間がかかって極めて面倒である。
【０００７】
本発明は上述の課題を解決するためになされたものであり、その目的とするところは、重機を必要とせずに吸着剤の交換作業を容易化して、労力の軽減と作業性の向上を得られる除湿装置を提供しようとするものである。
【０００８】
【課題を解決するための手段】
上記目的を満足するため本発明は、請求項１として、吸着剤を充填する吸着筒内に湿った気体を導き湿分を吸着剤に吸着させて除湿し乾燥気体に換えて供給する除湿装置において、上記吸着筒の下端部を支持するとともに湿った気体を導通して吸着筒内へ案内する導入路を備えたインレットヘッドと、吸着筒の上端部に配置されるとともに吸着筒で除湿された乾燥気体を外部へ案内する導出路を備えたアウトレットヘッドと、このアウトレットヘッドとインレットヘッドとに亘って架設され吸着筒をインレットヘッドとアウトレットヘッドとの間に介在固定する複数本の通しボルトと、これら通しボルトのうちの所定の通しボルトに螺着され回動付勢することによりアウトレットヘッドを押し上げて吸着筒上端部から離間自在とする押し上げナット体とを具備したことを特徴とする。
【０００９】
請求項２として、請求項１記載の除湿装置において上記通しボルトは上下に２分割されていて互いの対向端部に異なる方向のねじ部が設けられ、上記押し上げナット体は軸方向の両端部から２分割された通しボルトのねじ部と螺合する互いに異なる方向のねじ孔が設けられることを特徴とする。
【００１０】
このような課題を解決する手段を採用することにより、吸着剤の交換にあたって、押し上げナット体に対する回動操作だけで、重量が大なるアウトレットヘッドを容易に押し上げて吸着筒から離間させ、吸着筒を着脱できる。他の通しボルトはアウトレットヘッドの押し上げ量だけ緩めればよく、着脱の必要がない。
【００１１】
【発明の実施の形態】
以下、本発明の一実施の形態を図面にもとづいて説明する。
図１は、圧縮気体の除湿装置を斜視図として示す。
この除湿装置は、基台１と、この基台１上に取付けられるインレットヘッド２と、上部に取付けられるアウトレットヘッド３と、これらインレットヘッド２とアウトレットヘッド３との間に介在される複数本の吸着筒４および、各ヘッド２，３端面間に設けられる操作部５とから構成される。
【００１２】
上記操作部５とは反対側のインレットヘッド２端面に導入口体６が突設され、湿った圧縮気体を装置内へ導入案内するようになっている。また、操作部５とは反対側のアウトレットヘッド３端面には図示しない導出口が開口され、得られた乾燥空気を供給先へ案内する供給路が接続されるようになっている。
【００１３】
上記吸着筒４は、複数本を等間隔でかつ一列が直線状に配置され、ここでは二列づつ並行して並べられる。互いの列の吸着筒４は位置が揃えられ、同位置の吸着筒４が作用的に対をなすように構成される。
【００１４】
また、インレットヘッド２とアウトレットヘッド３とに亘って複数本の通しボルト７が挿通され、各ヘッド２，３からボルト端部が突出しナット１５が螺着されて、各ヘッド２，３間に吸着筒４が介在固定される。
【００１５】
上記通しボルト７は各列の吸着筒４の外側および中央部に並べられ、合計三列設けられる。そして、特に四隅の通しボルト７Ａのみ、その上部に押し上げナット体８が取付けられている。
【００１６】
図２は、除湿装置一部の縦断面図であり、特に吸着筒４の一列側のみを幅方向に沿って断面にして示す。
上記インレットヘッド２には、湿った圧縮気体を装置内に導入する導入路１０が長手方向に沿って設けられ、吸着筒４との対向位置のみに導入路１０と連通する案内口１１が設けられる。インレットヘッド２上面には下部位置決め用プレート１２が載置されていて、側部の折曲片１２ａが固定ねじ１３を介してインレットヘッド２に取付け固定される。
【００１７】
下部位置決め用プレート１２は、所定板厚の板体を板金加工して得られるものであり、所定位置には複数の吸着筒用開口部１２ｂが設けられ、上記吸着筒４の下端部が嵌め込まれている。
【００１８】
上記吸着筒４は、上下端面が開口する筒体４ａと、この筒体４ａの上下端面に沿って設けられる上下フランジ部４ｂとからなっていて、これらフランジ部の内側に多孔板１６が着脱自在に設けられる。多孔板１６相互間には、活性アルミナ、シリカゲル、ゼオライトなどからなる吸着剤１７が密に充填されている。
【００１９】
さらに、上下フランジ部４ｂの端面に沿って凹溝４ｃが設けられ、パッキン材１８が嵌め込まれる。それぞれのパッキン材１８は上下フランジ部４ｂの端面から突出していて、組立てられた状態でアウトレットヘッド３の下面と、インレットヘッド２の上面とに密接して、これらのシールをなす。
【００２０】
上記アウトレットヘッド３には、乾燥気体の供給路が接続される導出路１９が長手方向に沿って設けられ、上記吸着筒４との対向位置のみに導出路１９と連通する案内口２０が設けられる。アウトレットヘッド３下面には上部位置決め用プレート２１が合せられ、側部の折曲片２１ａが固定ねじ１３を介してアウトレットヘッド３に取付け固定される。
【００２１】
上部位置決め用プレート２１は、所定板厚の板体を板金加工して得られるものであり、所定位置には複数の吸着筒用開口部２１ｂが設けられ、吸着筒４上端部が嵌め込まれている。
【００２２】
上記通しボルト７は、インレットヘッド２と位置決め用プレート１２に設けられるボルト用孔１４と、アウトレットヘッド３と位置決め用プレート２１に設けられるボルト用孔２２とに亘って挿通され、ナットが螺合して各ヘッド２，３を吸着筒４を介して締結固定している。
【００２３】
図２は、後述する押し上げナット体８が取付けられた四隅の通しボルト７Ａを示している。
この通しボルト７Ａは、インレットヘッド２と位置決め用プレート１２に設けられるボルト用孔１４に挿通され、螺着されたナット１５，１５によってインレットヘッド２および位置決め用プレート１２と締結固定される。通しボルト７Ａ上端部はアウトレットヘッド３の下面近傍まで延出されていて、端部にねじ部２５が設けられる。
【００２４】
上記押し上げナット体８は、下端面から軸芯に沿って通しボルト７Ａ上端部のねじ部２５が螺合するねじ孔２６を有している。さらに、下端面から外周はねじ孔２６の軸方向長さよりも長い六角ナット部８ａが形成され、この六角ナット部８ａの上部側にはねじ部８ｂを有するボルト部８ｃが一体に連設されている。
【００２５】
上記ねじ部８ｂは通しボルト７Ａと同一ねじ径をなし、かつ六角ナット部８ａの直径はボルト部８ｃのねじ径よりも大に設定されている。したがって、ボルト部８ｃがアウトレットヘッド３と上部位置決め用プレート２１のボルト用孔２２に挿通し、かつ六角ナット部８ａの上端肩部が上部位置決め用プレート２１を介してアウトレットヘッド３を支持している。
【００２６】
押し上げナット体８のねじ部８ｂにはナット１５が螺着されているので、アウトレットヘッド３および上部位置決め用プレート２１は六角ナット部８ａとナット１５とによって締結固定されることになる。
【００２７】
このようにして構成される除湿装置であって、左右に並べられる吸着筒４の一方列側の吸着筒４に湿った圧縮空気が導かれ、吸着剤１７によって湿分が吸着除湿され、乾燥空気に換って所定の供給先に供給される。同時に、得られた乾燥空気の一部を他方列の吸着筒４に導き、前段階の吸湿で能力低下した吸着剤１７から湿分を脱着して再生し、さらにこの湿分を外部へパージする。
【００２８】
一方列の吸着筒４における圧縮空気の除湿乾燥と、他方列の吸着筒４における吸着剤１７の再生は同時に並行して行われ、所定時間経過後に両列吸着筒４間に設けられた図示しない切換え弁を切換えて、連続的に乾燥空気を供給する。
【００２９】
所定期間以上経過すると吸着剤１７が劣化するので、それ以前に全ての吸着筒４を対象として吸着剤１７の交換をなす。以下、図３にもとづいて吸着剤１７の交換作業について説明する。
【００３０】
はじめに、四隅以外の各通しボルト７を緩めて、アウトレットヘッド３が所定量移動可能となるようにする。つぎに、押し上げナット体８の上部に螺着するナット１５を同量だけ緩めてから、この押し上げナット体８を上昇する方向に回動付勢する。
【００３１】
それぞれの押し上げナット体８をわずかづつ、かつ互いにほぼ均一量の回動操作することにより、アウトレットヘッド３と上部位置決め用プレート２１は押し上げナット体８に支持されたまま傾くことなく、ほとんど水平姿勢を保持して上昇する。
【００３２】
上部位置決め用プレート２１の吸着筒用開口部２１ｂが上記吸着筒４上端部から抜け出たところで、各吸着筒４に対する拘束が解除され、各吸着筒は軸方向に移動可能となる。
【００３３】
さらに押し上げナット体８を同方向に回動付勢してアウトレットヘッド３および上部位置決め用プレート２１を上昇させ、吸着筒４の下端部が下部位置決め用プレート１２の吸着筒用開口部１２ｂから抜け出せるところまできたら、吸着筒４を装置外へ取出す。
【００３４】
実際には、装置のより小型化を図るために、隣接する吸着筒４間にほとんど隙間が設定されておらず、したがって吸着筒相互の隙間に手指を差し込んで吸着筒４周面を両手で掴むことができない。そこで、アウトレットヘッド３と上部位置決め用プレート２１をさらに上昇させ、吸着筒４上端部に手指を引掛けて傾け、プレート２１と干渉しないところで取出すこととなる。
【００３５】
吸着筒４内の劣化した吸着剤１７を全て排出し、代って新たな吸着剤１７を吸着筒４内に充填して、しかる後吸着筒４を再び装置内にセットする。このとき押し上げナット体８は上部位置決め用プレート２１とアウトレットヘッド３を上昇位置で保持しているので、吸着筒４の装置取付けはごく容易にすむ。
【００３６】
全ての吸着筒４における吸着剤１７の交換が終了し、かつ再び装置内の所定位置に配置したら、押し上げナット体８を反対方向に回動してアウトレットヘッド３と上部位置決め用プレート２１を降下させる。
【００３７】
そして、図２に示すように吸着筒４上部のシール材１８にアウトレットヘッド３が載る状態に戻し、押し上げナット体８に対して上部のナット１５を締め付けることにより、全ての作業が終了する。
【００３８】
このようにして、特に重機を用いることなく、押し上げナット体８を回動付勢するだけの比較的簡単な作業で、重量物であるアウトレットヘッド３を上昇保持して吸着筒４の着脱が可能であり、労力の軽減を図れる。
【００３９】
多数本の通しボルト７を用いても、吸着剤１７の交換作業時には必要量緩めるだけであって装置から取外ししなくてもすみ、作業が容易である。重機を全く使用しないから、重機の移動スペースと装置上方の作業空間が不要となって、設置場所の制限が少なくてすむ。
【００４０】
なお、押し上げナット体８として、結果的に先に説明したものと同一の作用効果をなすことができれば、上述の構成に限定されるものではない。
その一例として、図４（Ａ）に示すように、上下に２分割された通しボルト７０Ａ，７０Ｂであって、互いの対向端部に異なる方向のねじ部ａ，ｂが設けられる。たとえば、上部側の通しボルト７０Ａのねじ部ａは右ねじとし、下部側の通しボルト７０Ｂのねじ部ｂは左ねじとする。
【００４１】
押し上げナット体８Ａは六角柱状をなし、この軸芯に沿って、かつ上下両端面から互いに異なる方向のねじ孔ａ１，ｂ１が設けられる。そして、上下部通しボルト７０Ａ，７０Ｂのねじ部ａ，ｂが、それぞれ方向が一致する押し上げナット体８Ａのねじ孔ａ１，ｂ１に螺挿される。
【００４２】
このことにより、押し上げナット体８Ａを所定方向に回動付勢することにより上下部通しボルト７０Ａ，７０Ｂの相互間隔が拡大するとともに、この押し上げナット体８Ａによってアウトレットヘッド３が押し上げられる。逆方向に回動付勢すれば、上下部通しボルト７０Ａ，７０Ｂの相互間隔が短縮してアウトレットヘッド３が押し下げられる。
【００４３】
なお、各ねじ部ａ，ｂとねじ孔ａ１，ｂ１のねじ方向は逆であってもよく、また逆ねじを備えることを前提として、この押し上げナット体８Ａに代わって、いわゆるターンバックルを用いてもよい。
【００４４】
また、図４（Ｂ）に示すように、１本の分割しない通しボルト７を備え、ここに単純な市販のナットである押し上げナット体８Ｂを螺合する構成であってもよい。すなわち、この押し上げナット体８Ｂでインナレットヘッド３の重量を受けるようにすれば、ナット体８Ｂに対する回動付勢によりインナレットヘッド３の位置が上下方向に換ることは勿論である。
【００４５】
なお、除湿装置によっては、設定された除湿能力にもとづいて、先に説明したものよりも大型もしくは小型の装置があり、吸着筒４の本数は勿論のこと、通しボルト７の本数が増減する。したがって、押し上げナット体８，８Ａ，８Ｂの位置および本数も必要に応じて変化することとなる。
【００４６】
【発明の効果】
以上説明したように本発明によれば、吸着剤の交換にあたって重量物であるアウトレットヘッドを比較的簡単に昇降させて吸着筒の着脱を容易化でき、多大な労力もしくは重機が不要となって作業性の向上を得られ、かつ必要な作業空間がごく小さくてすみ設置場所の制限が少なくなるなどの効果を奏する。
【図面の簡単な説明】
【図１】本発明の実施の形態を示す、除湿装置の斜視図。
【図２】同実施の形態を示す、除湿装置一部の断面図。
【図３】同実施の形態を示す、図２とは異なる状態での除湿装置一部の断面図。
【図４】他の実施の形態を示す、互いに異なる押し上げナット体の図。
【符号の説明】
１７…吸着剤、
４…吸着筒、
１０…導入路、
２…インレットヘッド、
１９…導出路、
３…アウトレットヘッド、
７、７Ａ…通しボルト、
８、８Ａ，８Ｂ…押し上げナット体。
【図１】
0004309535.tif 000002
【図２】
0004309535.tif 000003
【図３】
0004309535.tif 000004
【図４】
0004309535.tif 000005